(57)【要約】【課題】ウインチ装着バックホー作業機のアームに本発明装置を取り付けてワイヤーの方向が変わってもブームに装着したウインチのセンターラインを外れずに整然と巻き取りドラムに巻き取ることを可能にする。【解決手段】本発明装置の回転ドラム軸受け板７をアームに取り付けて、回転ドラム軸を支持し、回転ドラム軸８に回転自在に支持リング１２とフリー回転支持ドラム２を設け、前記支持リングに設けた支持板１４に設けた誘導滑車軸受け板１３に固定した２本の誘導滑車軸１１に一対の誘導滑車４を設け、前記の誘導滑車軸受け板に設けた誘導ドラム軸受け板９に固定した誘導ドラム軸１０に誘導ドラム５を設けて、回転支持ドラム２の上、両誘導滑車４の溝間、誘導ドラム５のそれぞれに通してあるワイヤー６をセンターラインから外れることなく巻き上げることを容易にするウインチ装着バックホー作業機の巻き上げ補助装置。【選択図】図３
2007039165.tif 000002
【特許請求の範囲】
【請求項１】
バックホー作業機のアームに回転ドラム軸受け板を取り付けて、回転ドラム軸受け板により回転ドラム軸を支持し、回転ドラム軸8を中心にして回転自在に支持リング１２と回転支持ドラム２を設け、前記支持リングに設けた支持板１４に設けた誘導滑車軸受け板１３に２本の誘導滑車軸１１を固定しそれぞれの軸に一対の誘導滑車４を設け、前記の誘導滑車軸受け板に設けた誘導ドラム軸受け板９に誘導ドラム軸１０を固定し、この軸に誘導ドラム５を設け、ワイヤー６を前記の回転支持ドラム２の上、一対の誘導滑車４の間、誘導ドラム５の下に通し、前記のワイヤー６の方向が自在に変更しても巻き上げることができることを特徴とするウインチ装着バックホー作業機の巻上げ補助装置。
【発明の詳細な説明】
【技術分野】
【０００１】
本発明は、林業作業に於いて林内作業道にウインチ装着バックホー作業機を定位置に安定させて、ブームに装着したウインチからワイヤーを引き出しその先端を伐採された木材に縛ってウインチで巻き上げ木材を林内より搬出する際に、ウインチのセンターラインからワイヤーの方向が外れるとワイヤーが巻き取りドラムに整然と巻き取れないで乱巻きになったり、ウインチに絡まるなどの支障が生じるので、アームに本発明装置を取り付けてワイヤーがセンターラインから外れないようにするために使用する。即ち、バックホー作業機のアームに本発明装置を取り付けて、ワイヤーの先端を装置に通して木材を縛りウインチで巻き上げることにより、木材が林内を移動しても、ワイヤーはセンターラインから外れず巻き上げられるので乱巻を防止し、ワイヤーは整然とウインチの巻き取りドラムに巻き取れるようにした補助装置に関するものである。
【背景技術】
【０００２】
従来のウインチ装着バックホー作業機においては、バックホー作業機が搭載される旋回作業車が小型であった場合には、ブームに装着されるウインチと、該ブーム先端部に設けられるガイドローラとの間隔を大きく確保することができないという欠点があった。
【０００３】
このためにブーム上端部に設けたガイドローラのみではセンターラインを確保できずに巻き取る結果、ウィンチによる乱巻き、ウインチにワイヤーが絡まったりすることを防止できない。
【０００４】
ブームに装着したウインチにより巻き上げて搬出する木材は林内を移動するので、木材を搬出する用途において、この欠点はワイヤーの巻上げに関して大きな障害である。具体的には、搬出する木材の移動に伴ってワイヤーが乱巻きになったり、あるいは、ウインチの巻き取りドラムに絡まったりなどの問題があった。
【０００５】
この改善策として、特許文献１によれば、ウインチから引き出したワイヤーの案内をするガイドローラをブームの基端部側及び先端部に設けてワイヤーを両ガイドローラに通す方法がある。本発明の改善方法は、本発明装置の実施方法を説明する図１示したようにガイドローラをアームの上端部に設け、本発明装置をアームの中間部に設けてガイドローラと本発明装置にワイヤーを通すことによりワイヤーはセンターラインから外れないので整然と巻き取れる。ブームに装着したウィンチから引き出さしたワイヤーは、アームの先端部に設けたガイドローラに通した後に本発明装置に通してワイヤーの巻き上げに際してはワイヤーの方向が自由に動いてもワイヤーがセンターラインから外れない。
【特許文献１】特開２０００−３５１５８１号公報
【発明の開示】
【発明が解決しようとする課題】
【０００６】
解決しようとする問題点は、森林内で伐採された木材を搬出するために林内作業道の定位置に安定させたウインチ装着バックホー作業機のウインチから引き出したワイヤーで木材を縛ってワイヤーを巻き上げるときに、ブームの上端部に設けたガイドローラのみではワイヤーの方向が変更した時にセンターラインからワイヤーが外れてウインチの巻き取りドラムに整然と巻き取ることができない点である。
【課題を解決するための手段】
【０００７】
本発明は、バックホー作業機のブームにウインチを装着し、アームの上端部にガイドローラを設けてアームの中間部に回転ドラム軸受け板を両側に溶接やボルト締めなどいずれかの方法で取り付けて、両側の回転ドラム軸受け板に取り付けた回転ドラム軸を支持し、回転ドラム軸8を中心にして回転自在に支持リング１２を設け、左右支持リング間にフリー回転する回転支持ドラム２を設け、前記支持リングに設けた支持板１４に設けた誘導滑車軸受け板１３に２本の誘導滑車軸１１を固定しそれぞれの軸にフリー回転する一対の誘導滑車４を対向して設け、前記の誘導滑車軸受け板に設けた誘導ドラム軸受け板９に誘導ドラム軸１０を固定してフリー回転する誘導ドラム５を設けて、回転支持ドラム２と、一対の誘導滑車４と、誘導ドラム５の方向を変更可能にし、回転支持ドラム２の上、一対の誘導滑車４の間、誘導ドラム５の下にそれぞれ通してあるワイヤー６の方向が変更してもブームに装着したウインチのセンターラインからワイヤーが外れず整然と巻き上げることができるようにしたことを最も主要な特徴とする。
【発明の効果】
【０００８】
本発明は、アームに回転ドラム軸受け板を取り付けて回転ドラム軸受け板で回転ドラム軸を支持し、回転ドラム軸8を中心にしてフリー回転する支持リング１２と左右支持リング間にフリーな回転支持ドラム２を設け、前記支持リングに設けた支持板１４に設けた誘導滑車軸受け板１３に２本の誘導滑車軸１１を固定しそれぞれの軸に対向する一対の誘導滑車４を設け、前記の誘導滑車軸受け板に設けた誘導ドラム軸受け板９に誘導ドラム軸１０を固定してフリー回転する誘導ドラム５を設けて、フリー回転する回転ドラム２と一対の誘導滑車４と誘導ドラム５の一定の方向を変更可能にしたからワイヤーがセンターラインから外れずにワイヤーを巻き取りドラムに整然と巻き取れるという利点がある。
【発明を実施するための最良の形態】
【０００９】
バックホー作業機のブームに装着したウインチでワイヤーを乱巻きせずに巻き上げて林内の木材を搬出するという目的を本発明のウインチ装着バックホー作業機の巻き上げ補助装置（以下補助装置という。）により実現した。
【実施例１】
【００１０】
図１〜５は、それぞれに本発明装置の実施方法を説明する側面図（図１）、１実施例を示す平面図（図２）、側面図（図３）、背面図（図４）、正面図（図５）であって、１は  バックホーのアーム部分、２は  回転支持ドラム、  ３は    誘導滑車の脱落防止用に軸に入れるロックピン、  ４は    一対の誘導滑車、  ５は    誘導ドラム、６は    ウィンチで巻き上げられるワイヤー、７は    回転支持ドラム軸受け板、８は    回転支持ドラム軸、９は    誘導ドラム軸受け板、１０は    誘導ドラム軸、１１は    固定板に設けた２本の誘導滑車軸、１２は    回転支持ドラム軸に回動可能に設けた支持板の支持リング（回転支持ドラムの両側に設ける。）、１３は  誘導滑車軸の固定板、１４は    誘導滑車軸の固定板支持板、１５は  ウインチ、１６は  ガイドローラ、  １７は  本発明装置、  １８は  ブーム、  １９は  アームである。
【００１１】
実施例は、林業作業に於いて林内作業道にバックホー作業機を定位置に安定させて、ブーム１８に装着したウインチ１５からワイヤー６を引き出しその先端をアームの上端部に設けたガイドローラ１６に通して、アーム１９に本発明装置１７を取り付けてワイヤーを通してセンターラインから外れないようにするために使用する。即ち、アーム１９に取り付けてある本発明装置１７の中で両誘導滑車４の溝間にワイヤー６の先端を通して木材を縛りウインチ１５で巻き上げる。木材が林内を移動しても、ワイヤーはセンターラインから外れないので整然とウインチの巻き取りドラムに巻き取れるようにした補助装置である。
【００１２】
この補助装置は、アームの中間部に左右の回転ドラム軸受け板７を溶接する方法で取り付けて、回転ドラム軸受け板７で回転ドラム軸８を支持し、回転ドラム軸8を中心にして左右に回転自在に設けた支持リング１２と両支持リング間に介在してフリー回転する回転支持ドラム２を設け、前記支持リング１２に設けた支持板１４に設けた誘導滑車軸受け板１３に２本の誘導滑車軸１１のボルトを設け、ボルトに誘導滑車４を入れ、ロックピンを挿し込んで、誘導滑車は回転自在にする。両支持リング１２は回転ドラム軸８を中心にして誘導滑車４と誘導ドラム５を自由に回るように作用を有する。両支持リング間に挟まれている回転支持ドラム２の幅は、ウインチ１５の巻き上げドラムの幅内にあり、両側の支持リングに設けた支持板１４の規制を受けてワイヤー６がガイドローラ１６を介して巻き取りドラムに整然と巻かれる。
【００１３】
２本の誘導滑車軸１１にフリー回転する一対の誘導滑車４を対向して設け、前記の誘導滑車軸受け板１３に設けた誘導ドラム軸受け板９に固定してある誘導ドラム軸１０にフリー回転する誘導ドラム５を設ける。 
【００１４】
ブームに装着したウインチ１５よりワイヤー６を引き出し、このワイヤー６はアーム上端部に設けたガイドローラ１６に通して、アーム１９の中間部に取り付けた本発明装置１７の前記回転ドラム２の上、一対の誘導滑車４の溝間、誘導ドラム５の下のそれぞれに通して ある。ウインチ１５でワイヤー６を巻き上げるとワイヤーはフリー回転する回転ドラム２の上を擦りながら巻き上げられる。図４，５に示したように、ワイヤー６はフリー回転する左右の誘導滑車４の溝間に通してあってワイヤーの移動で誘導滑車が回転して、更にそのワイヤー６はフリー回転する誘導ドラム５の下に通してあって、ワイヤーが誘導ドラムに接触すると回転してワイヤーの磨耗を防止する。即ち回転支持ドラム２、一対の誘導滑車４及び誘導ドラム５の回転によりワイヤーの磨耗を防止できる。
【００１５】
更にワイヤーの両側に一対の誘導滑車４が回っているのでワイヤーは両側の溝に挟まれた状態で規制されており、ガイドローラ１６のセンターラインを外れないように作用している。従って、ガイドローラ１６を介してウインチ１５の巻き取りドラムの幅内に巻き取りができる。
【００１６】
このような本発明装置においてはウインチの巻き取りドラムに巻き取られる際にワイヤーがセンターラインから外れて巻き取られることがないから、ワイヤーが巻き取りドラムに整然と巻き取られることができワイヤーの磨耗を防止して長寿命化する効果がある。
【００１７】
図１〜５の実施例の補助装置は、誘導滑車によりセンターラインから外れることなくワイヤーが巻き取りドラムに巻かれることができるので、木材搬出の作業効率がよく作業性が向上する。
【産業上の利用可能性】
【００１８】
本発明装置をウインチ装着バックホー作業機に装着して、作業道にバックホー作業機を安定しておき作業者による効率的な木材搬出、その他の搬出用途にも適用できる。
【図面の簡単な説明】
【００１９】
【図１】ブームに装着したウインチとアームに装着した本発明装置の実施方法を示したバックホー作業機の側面図である。（実施例１）
【図２】本発明装置の実施方法を示した平面図である。（実施例１）
【図３】本発明装置の実施方法を示した側面図である。（実施例１）
【図４】本発明装置の実施方法を示した背面図である。（実施例１）
【図５】本発明装置の実施方法を示した正面図である。（実施例１）
【符号の説明】
【００２０】
１    バックホーのアーム
２    回転支持ドラム
３    ロックピン
４    誘導滑車
５    誘導ドラム
６    ワイヤー
７    回転支持ドラム軸受け板
８    回転支持ドラム軸
９    誘導ドラム軸受け板
１０    誘導ドラム軸
１１    誘導滑車軸
１２    支持板の支持リング
１３    誘導滑車軸の固定板
１４    誘導滑車軸の固定板支持板
１５    ウインチ
１６    ガイドローラ
１７    本発明装置
１８    ブーム
１９    アーム
【図１】
2007039165.tif 000003
【図２】
2007039165.tif 000004
【図３】
2007039165.tif 000005
【図４】
2007039165.tif 000006
【図５】
2007039165.tif 000007